(57)【要約】【課題】ドアの開閉の度に自動的に芳香剤を噴霧可能にし、フレッシュな香りを簡易確実に供給すること。【解決手段】芳香剤噴霧器１０であって、ポンプ１３が付帯する剤タンク１１をドア１に取付け、ドア１の閉時にポンプ１３を吐出操作するポンプ操作部（戸当たり３）をドア枠２の側に設けたもの。【選択図】  図１
2004211470.tif 000002
【特許請求の範囲】
【請求項１】
ポンプが付帯する剤タンクをドアに取付け、ドアの閉時にポンプを吐出操作するポンプ操作部をドア枠の側に設けた芳香剤噴霧器。
【請求項２】
前記ポンプが押動吐出式ポンプであり、ポンプ操作部がドア枠に設けた戸当たりである請求項１に記載の芳香剤噴霧器。
【請求項３】
前記ポンプが押動レバーを備えた押動吐出式ポンプであり、ドア枠の側に設けたポンプ操作部が押動レバーを押込み可能にする請求項１に記載の芳香剤噴霧器。
【請求項４】
前記ポンプが吐出した芳香剤を含浸する含浸体をポンプの側傍に配置した請求項１〜４のいずれかに記載の芳香剤噴霧器。
【請求項５】
前記剤タンクがドアに着脱できる掛具を備える請求項１〜４のいずれかに記載の芳香剤噴霧器。
【発明の詳細な説明】
【０００１】
【発明の属する技術分野】
本発明は芳香剤噴霧器に関する。
【０００２】
【従来の技術】
芳香器として、特許文献１に記載の如く、容器に収容した芳香剤を常時揮散するものがある。
【０００３】
他の芳香器として、特許文献２に記載の如く、エアゾール容器を用い、使用者の手押し操作によって芳香剤を都度噴射するものがある。
【０００４】
【特許文献１】
特開２０００−７０３５２（［０００２］、図１）
【０００５】
【特許文献２】
実開平７−１５５８４（［０００２］、図１）
【０００６】
【発明が解決しようとする課題】
特許文献１に記載の芳香器では、芳香剤を常時揮散しているため、芳香剤中の芳香成分のうちで揮散し易い成分が先に揮散してしまい、揮散する芳香成分が経時的に変化し、フレッシュな香りを持続できない。
【０００７】
特許文献２に記載の芳香器では、手押し操作を都度必要とし、煩雑であるため、使用性が悪い。
【０００８】
本発明の課題は、ドアの開閉の度に自動的に芳香剤を噴霧可能にし、フレッシュな香りを簡易確実に供給することにある。
【０００９】
【課題を解決するための手段】
請求項１の発明は、ポンプが付帯する剤タンクをドアに取付け、ドアの閉時にポンプを吐出操作するポンプ操作部をドア枠の側に設けた芳香剤噴霧器である。
【００１０】
【発明の実施の形態】
（第１実施形態）（図１）
芳香剤噴霧器１０は、図１に示す如く、住宅の任意の領域、本実施形態ではトイレに芳香剤を噴霧可能にする。芳香剤噴霧器１０は、外開き型ドア１をもつトイレに適用されたものであり、ドア枠２はトイレの室内側に戸当たり３を設けている。
【００１１】
芳香剤噴霧器１０は、液状芳香剤を収容する剤タンク１１に掛具１２を固定的に備え、掛具１２をドア１の上縁に引掛け状態で着脱可能に取付け、剤タンク１１をドア１のトイレの室内に臨む面上に配置する。剤タンク１１はキャップ１１Ａに吸込み管１１Ｂ、空気抜き管１１Ｃを備える。
【００１２】
芳香剤噴霧器１０は、剤タンク１１にポンプ１３を付帯する。ポンプ１３の本体は掛具１２におけるドア１のトイレ室内側面に沿う鉛直面に担持される。ポンプ１３は、押動吐出式ポンプ（プッシュポンプ）であり、押動ヘッド１３Ａをトイレ室内に向けて突設させて備える。ポンプ１３は、押動ヘッド１３Ａが外力により押し込まれる吐出操作の過程で芳香剤を吐出ノズル１４からトイレ室内に噴霧し、押動ヘッド１３Ａが内蔵ばね力により押し込み解除される過程で剤タンク１１の内容剤を吸込み管１１Ｂ経由で吸込んで次の吐出操作に備える。吐出ノズル１４は押動ヘッド１３Ａの側面（上面又は下面又は前面でも可）に設けられ、その噴霧方向を調整可能にされる。
【００１３】
芳香剤噴霧器１０は、ポンプ１３の押動ヘッド１３Ａに押動レバー１３Ｂを備えており、ドア１の閉じ過程で、この押動レバー１３Ｂがドア枠２に設けられている戸当たり３（ポンプ操作部）に衝合することにより、この衝合反力としての押し込み外力が押動レバー１３Ｂを介して押動ヘッド１３Ａに付与され、ポンプ１３を吐出操作する。
【００１４】
第１実施形態によれば以下の作用効果がある。
▲１▼芳香剤噴霧器１０は、利用者がトイレに入ってドア１を閉じるとき、及びトイレから出てドア１を再び閉じるときの両方で、ポンプ１３の押動ヘッド１３Ａ、押動レバー１３Ｂが戸当たり３に衝合する度に、剤タンク１１から予め吸込んであった芳香剤を自動的に噴霧する。使用者がトイレの利用の都度、ポンプ１３を手押し操作する必要がなく簡易確実である。
【００１５】
▲２▼芳香剤噴霧器１０は、ドア１が閉じ過程にあって、ポンプ１３の押動ヘッド１３Ａが戸当たり３との衝合によって押し込まれる過程でだけ、芳香剤を噴霧する。従って、ドア１の閉じ完了時やドア１の開き時には芳香剤の噴霧がなく、芳香剤噴霧器１０は、芳香剤を常時揮散させるものでないから、経時的に一定の方向成分を噴霧し、フレッシュな香りを供給し続ける。
【００１６】
▲３▼芳香剤噴霧器１０は、剤タンク１１をドア１の上縁に引掛けており、利用者は内容剤の液面変化を常に視認するものとなり、芳香剤の交換時期を容易にチェックできる。
【００１７】
（第２実施形態）（図２）
第２実施形態の芳香剤噴霧器２０が第１実施形態の芳香剤噴霧器１０と実質的に異なる点は、ドア１の上縁に掛具２２で引掛けられた剤タンク２１が、そのキャップ２１Ａにポンプ２３を組付けられて備えるようにしたことにある。
【００１８】
ポンプ２３は押動吐出式ポンプであり、押動ヘッド２３Ａに吐出ノズル２４を備える。掛具２２にピン結合された押動レバー２５の中間の押動部２５Ａを押動ヘッド２３Ａの上面に当接し、押動レバー２５の先端のノブ２５Ｂをドア枠２及び戸当たり３に衝合可能にしている。
【００１９】
芳香剤噴霧器２０は、ドア１の閉じ過程で、押動レバー２５のノブ２５Ｂがドア枠２〜戸当たり３に衝合することにより、この衝合反力としての押込み外力が押動レバー２５を介してポンプ２３の押動ヘッド２３Ａに付与され、ポンプ２３を吐出操作する。
【００２０】
第２実施形態によれば、ドア枠２及び戸当たり３によって押動レバー２５を押動させる簡単な動作でポンプ２３を吐出操作できる。第１実施形態における前述▲１▼〜▲３▼と同様の作用効果があり、ドア１の開閉の度に自動的に芳香剤を噴霧可能にし、フレッシュな香りを簡易確実に供給することができる。
【００２１】
（第３実施形態）（図３）
第３実施形態の芳香剤噴霧器３０が第２実施形態の芳香剤噴霧器２０と実質的に異なる点は、ポンプ２３の側傍、具体的にはポンプ２３の押動ヘッド２３Ａに備えた吐出ノズル２４の前方に、ポンプ２３が吐出した芳香剤を含浸する芳香剤含浸体３１を配置したことにある。
【００２２】
芳香剤含浸体３１は、吸液性のある綿布、フェルト、スポンジ、不織布等からなる。本実施形態では、板状の含浸体３１を掛具２２の前端に設けたＵ字状挟み具３２に着脱自在に挟み付け保持させた。
【００２３】
第３実施形態によれば、ドア１の閉時に、ポンプ２３が噴霧した芳香剤を含浸体３１に染み込ませ、含浸体３１からトイレ室内に揮散させる。ポンプ２３が噴霧する芳香剤をトイレ室に直接飛散させず、トイレ室に入ってきた人の頭等に芳香剤の液滴をふりかける等を回避し、フレッシュな香りを常に供給できる。
【００２４】
（第４実施形態）（図４）
第４実施形態の芳香剤噴霧器４０が第１実施形態の芳香剤噴霧器１０と実質的に異なる点は、内開き型ドア１をもつトイレに適用したことにあり、ドア枠２はトイレの室外側に戸当たり３を設けている。このため、芳香剤噴霧器４０の掛具１２は、ドア１の室内側面に沿う鉛直面に対し、剤タンク１１を支持する水平面を介して平行配置した鉛直面にタンク１３の本体を担持し、押動ヘッド１３Ａをドア１の室内側面に向けて突設配置させた。そして、ポンプ１３の押動ヘッド１３Ａに設けた押動レバー１３Ｂを、ドア１の上縁とドア枠２との間隙からトイレ室外に差し出し、ドア１の閉じ過程で、この押動レバー１３Ｂの差し出し端が戸当たり３に衝合するようにした。
【００２５】
第４実施形態によれば、第１実施形態における前述▲１▼〜▲３▼と同様の作用効果があり、ドア１の開閉の度に自動的に芳香剤を噴霧可能にし、フレッシュな香りを簡易確実に供給することができる。
【００２６】
本発明の実施において、ポンプ操作部はドア枠の側に設けられるものであれば、戸当たりであることを要さない。
【００２７】
【発明の効果】
本発明によれば、ドアの開閉の度に自動的に芳香剤を噴霧可能にし、フレッシュな香りを簡易確実に供給することができる。
【図面の簡単な説明】
【図１】図１は第１実施形態の芳香剤噴霧器を示す模式図である。
【図２】図２は第２実施形態の芳香剤噴霧器を示す模式図である。
【図３】図３は第３実施形態の芳香剤噴霧器を示す模式図である。
【図４】図４は第４実施形態の芳香剤噴霧器を示す模式図である。
【符号の説明】
１  ドア
２  ドア枠
３  戸当たり（ポンプ操作部）
１０、２０、３０、４０  芳香剤噴霧器
１１、２１  剤タンク
１２、２２  掛具
１３、２３  ポンプ
３１  芳香剤含浸体
【図１】
2004211470.tif 000003
【図２】
2004211470.tif 000004
【図３】
2004211470.tif 000005
【図４】
2004211470.tif 000006